(57)【要約】【課題】  既設の支持フレームに取付ける場合であっても的確かつ最適な取付けを可能にして取付に対するフレキシビリティを高めるとともに、生育むらなどの生じない均質な植物の栽培を実現する。【解決手段】  伝熱性を有する素材により形成した細長いベース体３と、このベース体３の下面３ｄに配した少なくとも一つ以上のＬＥＤ２…を有する少なくとも一つ以上のＬＥＤ発光部４…と、ベース体３の任意の位置に取付可能に構成した第一取付部６ｄと支持フレームＦの任意の位置に取付可能に構成した第二取付部６ｕを所定長さの連結部６ｃを介して一体化させた吊下体６，及び第一取付部６ｄをベース体３に固定し、かつ第二取付部６ｕを支持フレームＦに固定する固定手段７を有する少なくとも二以上の吊下器５…とを備える。【選択図】  図１
2011101635.tif 000002
【特許請求の範囲】
【請求項１】
栽培する植物の上方に配した支持フレームに取付けることにより当該植物に対してＬＥＤを発光させて照射を行う植物栽培用照射装置において、伝熱性を有する素材により形成した細長いベース体と、このベース体の下面に配した少なくとも一つ以上のＬＥＤを有する少なくとも一つ以上のＬＥＤ発光部と、前記ベース体の任意の位置に取付可能に構成した第一取付部と前記支持フレームの任意の位置に取付可能に構成した第二取付部を所定長さの連結部を介して一体化させた吊下体，及び前記第一取付部を前記ベース体に固定し、かつ前記第二取付部を前記支持フレームに固定する固定手段を有する少なくとも二つ以上の吊下器とを備えることを特徴とする植物栽培用照射装置。
【請求項２】
前記支持フレームには、植物を載置するための複数段の棚を構成するフレーム部材を適用することを特徴とする請求項１記載の植物栽培用照射装置。
【請求項３】
前記ベース体の平面視形状は、蛍光管の平面視形状に似せて形成することを特徴とする請求項１又は２記載の植物栽培用照射装置。
【請求項４】
前記ベース体の素材には、少なくともアルミニウム素材を含むことを特徴とする請求項１又は３記載の植物栽培用照射装置。
【請求項５】
前記吊下器の第一取付部は、前記ベース体の幅方向における両端を一対の把持部により把持して取付可能に構成することを特徴とする請求項１〜４のいずれかに記載の植物栽培用照射装置。
【請求項６】
前記吊下器の連結部は、前記把持部から延出した一対の連結片部により形成し、かつこの連結片部に前記第二取付部を連続形成するとともに、一対の連結片部間を固定可能な固定手段を備えることを特徴とする請求項５記載の植物栽培用照射装置。
【発明の詳細な説明】
【技術分野】
【０００１】
本発明は、栽培する植物の上方に配した支持フレームに取付けることによりＬＥＤを発光させて当該植物に照射を行う際に用いて好適な植物栽培用照射装置に関する。
【背景技術】
【０００２】
従来、栽培を行う植物の上方にＬＥＤ（発光ダイオード）を配し、このＬＥＤを発光させて植物に照射するようにした植物栽培用照射装置としては、特許文献１で開示される完全制御型有機栽培式植物工場おける植物栽培用照射装置が知られている。
【０００３】
同文献１に開示される完全制御型有機栽培式植物工場は、植物を効率よく且つ優れた形状となるように生育させること等を目的としたものであり、平面視において互いに重なるように、複数の栽培ベッドが多数配置されており、各栽培ベッドには、植物が栽培される有機培地が保持されており、各栽培ベッドの上方には、有機培地で栽培されている植物に照射される光の光源として、蛍光ランプと、植物の生育促進に有効な波長の光を放射する発光ダイオード（ＬＥＤ）とが配置された構成が開示されている。
【先行技術文献】
【特許文献】
【０００４】
【特許文献１】特開２００８−１１８９５７号公報
【発明の概要】
【発明が解決しようとする課題】
【０００５】
しかし、特許文献１で開示される完全制御型有機栽培式植物工場で用いられる植物栽培用照射装置をはじめ、従来におけるこの種の植物栽培用照射装置は、次のような問題点があった。
【０００６】
即ち、植物工場等にＬＥＤタイプの照射装置を設置する場合、予め総合的に設計した専用の植物工場等であれば、照射装置も設置環境にマッチングさせた設計を行うことが可能になるが、既設の植物工場等に、汎用性を有する照射装置を設置する場合には、ＬＥＤが蛍光管と異なり、照射範囲に指向性（１２０゜前後）を有する点光源となるため、取付環境によっては、的確かつ最適な取付けが困難となり、結局、栽培する植物に生育むらを招くなど、栽培に悪影響を与えやすい。
【０００７】
特に、蛍光管をＬＥＤタイプの照射装置に変更する場合、植物の栽培を行う栽培棚等は、蛍光管の取付けを前提に構成（設計）されているため、汎用性を有する照射装置を設置する場合には、取付スペースを確保できず、取付が困難になったり、或いは必要な照射量（光量）を確保できないなど、取付に対するフレキシビリティ性に劣る。
【０００８】
本発明は、このような背景技術に存在する課題を解決した植物栽培用照射装置の提供を目的とするものである。
【課題を解決するための手段】
【０００９】
本発明は、上述した課題を解決するため、栽培する植物Ｐの上方に配した支持フレームＦに取付けることにより当該植物Ｐに対してＬＥＤ２…を発光させて照射を行う植物栽培用照射装置１を構成するに際して、伝熱性を有する素材により形成した細長いベース体３と、このベース体３の下面３ｄに配した少なくとも一つ以上のＬＥＤ２…を有する少なくとも一つ以上のＬＥＤ発光部４…と、ベース体３の任意の位置に取付可能に構成した第一取付部６ｄと支持フレームＦの任意の位置に取付可能に構成した第二取付部６ｕを所定長さの連結部６ｃを介して一体化させた吊下体６，及び第一取付部６ｄをベース体３に固定し、かつ第二取付部６ｕを支持フレームＦに固定する固定手段７を有する少なくとも二以上の吊下器５…とを備えることを特徴とする。
【００１０】
この場合、発明の好適な態様により、支持フレームＦには、植物Ｐを載置するための複数段の棚Ｒを構成するフレーム部材Ｆｓを適用することができる。また、ベース体３の平面視形状は、蛍光管の平面視形状に似せて形成することができるとともに、ベース体３の素材には、少なくともアルミニウム素材を含ませることができる。一方、吊下器５の第一取付部６ｄは、ベース体３の幅方向における両端を一対の把持部６ｄｐ，６ｄｑにより把持して取付可能に構成できる。さらに、吊下器５の連結部６ｃは、把持部６ｄｐ，６ｄｑから延出した一対の連結片部６ｃｐ，６ｃｑにより形成し、かつこの連結片部６ｃｐ，６ｃｑに第二取付部６ｕを連続形成するとともに、一対の連結片部６ｃｐと６ｃｑ間を固定可能な固定手段７を用いることができる。
【発明の効果】
【００１１】
このような構成を有する本発明に係る植物栽培用照射装置１によれば、次のような顕著な効果を奏する。
【００１２】
（１）  下面３ｄにＬＥＤ発光部４…を配した細長いベース体３の任意の位置に取付可能に構成した第一取付部６ｄと支持フレームＦの任意の位置に取付可能に構成した第二取付部６ｕを所定長さの連結部６ｃを介して一体化させた吊下体６，及び第一取付部６ｄをベース体３に固定し、かつ第二取付部６ｕを支持フレームＦに固定する固定手段７を有する吊下器５…を備えるため、各種形態により構成される既設の支持フレームＦに取付ける場合であっても、第一取付部６ｄ及び第二取付部６ｕの取付位置を任意かつ容易に変更し、的確かつ最適な取付けが可能になるなど、取付に対するフレキシビリティを高めることができるとともに、生育むらなどの生じない均質な植物Ｐの栽培を実現できる。
【００１３】
（２）  好適な態様により、支持フレームＦに、植物Ｐを載置するための複数段の栽培棚Ｒを構成するフレーム部材Ｆｓ…を適用すれば、特に、フレーム部材Ｆｓ…の組合わせにより構成される様々な栽培棚Ｒに対して、的確かつ確実な取付けを行うことができるため、この種の栽培棚Ｒに取付ければ、植物栽培用照射装置１の有効性を確保する観点から最適なパフォーマンスを得ることができる。
【００１４】
（３）  好適な態様により、ベース体３の平面視形状を、蛍光管の平面視形状に似せて形成すれば、蛍光管タイプの照射装置から植物栽培用照射装置１に変更する場合であっても、取付スペース等に対する適合性を確保できるため、植物栽培用照射装置１を容易かつ確実に取付けることができる。
【００１５】
（４）  好適な態様により、ベース体３の素材に、少なくともアルミニウム素材を含ませれば、一般的な金属素材の利用により、比較的低コストに実施できるとともに、必要な強度及び伝熱性を確保できる。
【００１６】
（５）  好適な態様により、吊下器５の第一取付部６ｄを構成するに際し、ベース体３の幅方向における両端を一対の把持部６ｄｐ，６ｄｑにより把持して取付可能に構成すれば、比較的簡易な構成により低コストに実施できるとともに、ベース体３に対して容易かつ確実に取付けることができる。
【００１７】
（６）  好適な態様により、吊下器５の連結部６ｃを、把持部６ｄｐ，６ｄｑから延出した一対の連結片部６ｃｐ，６ｃｑにより形成し、かつこの連結片部６ｃｐ，６ｃｑに第二取付部６ｕを連続形成するとともに、一対の連結片部６ｃｐと６ｃｑ間を固定可能な固定手段７を用いれば、固定手段７による第一取付部６ｄと第二取付部６ｕに対する固定を同時に行うことができるため、更なる構成の簡略化に寄与できるとともに、連結片部６ｃｐ及び６ｃｑを利用した様々な機能を付加することができる。
【図面の簡単な説明】
【００１８】
【図１】本発明の好適実施形態に係る植物栽培用照射装置における要部を抽出して示す斜視図、
【図２】同植物栽培用照射装置を支持フレームに取付けた状態を示す正面図、
【図３】同植物栽培用照射装置を支持フレームに取付けた状態を示す平面図、
【図４】同植物栽培用照射装置に用いる吊下器の一部断面側面図、
【図５】同植物栽培用照射装置を支持フレームに取付けた状態を示す図２中のＡ−Ａ線断面側面図、
【図６】同植物栽培用照射装置を支持フレームに取付けた状態を示す図２中のＢ−Ｂ線断面側面図、
【図７】同植物栽培用照射装置におけるＬＥＤ発光部の一部断面底面図、
【図８】同植物栽培用照射装置を栽培棚に取付けた状態を示す正面図、
【図９】本発明の変更実施形態に係る植物栽培用照射装置を他の支持フレームに取付けた状態を示す一部断面側面図、
【図１０】本発明の他の変更実施形態に係る植物栽培用照射装置におけるＬＥＤ発光部の一部断面正面図、
【発明を実施するための形態】
【００１９】
次に、本発明に係る好適実施形態を挙げ、図面に基づき詳細に説明する。
【００２０】
まず、本実施形態に係る植物栽培用照射装置１の構成について、図１〜図７を参照して説明する。
【００２１】
例示する植物栽培用照射装置１は、図２及び図３に示すように、大別して、一つのベース体３，三つのＬＥＤ発光部４，４，４及び二つの吊下器５，５により構成する。
【００２２】
ベース体３は、全体を伝熱性を有する素材、望ましくは、アルミニウム素材により細長いプレート状に一体形成する。このようなアルミニウム素材を用いれば、一般的な金属素材の利用により、比較的低コストに実施できるとともに、必要な強度及び伝熱性を容易に確保できる。この際、ベース体３の平面視形状は、図３に示すように、蛍光管の平面視形状に似せて形成、即ち、細長い長方形に形成するとともに、ベース体３の厚さは、図２に示すように、水平に配したときに撓まない厚さ、特に、ＬＥＤ発光部４…を取付け、かつ吊下器５…により支持した際であっても撓まない厚さを選定する。なお、必要により、長手方向に沿った一又は二以上の補強用リブを一体に設けてもよい。このように、ベース体３の平面視形状を、蛍光管の平面視形状に似せて形成すれば、蛍光管タイプの照射装置から本発明に係る植物栽培用照射装置１に変更（交換）する場合であっても、取付スペース等に対する適合性を確保できるため、植物栽培用照射装置１を容易かつ確実に取付けることができる利点がある。
【００２３】
ＬＥＤ発光部４は、図７に示すように、三つのＬＥＤ実装部１１，１１，１１を備える。一つのＬＥＤ実装部１１は、六角形状の配線基板１２を有し、この配線基板１２の中央にＬＥＤ（発光ダイオード）２を実装するとともに、このＬＥＤ２の両側に正負の接続端子１３ｐ，１３ｎを配する。この場合、ＬＥＤ２には、白色ＬＥＤをはじめ、各種色（波長）を発光するＬＥＤを適用でき、光には植物の栽培にとって必要となる可視光以外の光も含まれる。また、配線基板１２は、図６に示すように、二本の取付ネジ１４，１４を用いてベース体３の下面３ｄに直接固定する。これにより、ＬＥＤ２の発熱は配線基板１２を介してベース体３に伝達され、伝熱性を有する素材により形成したベース体３を介して必要な放熱性能が確保される。さらに、ベース体３の下面３ｄには、配線基板１２の周りを囲むリングカバー１５を固定する。なお、リングカバー１５の固定は、例えば、接着剤等による接着で足りる。このようなＬＥＤ実装部１１は、図７に示すように、同様に構成する三つのＬＥＤ実装部１１…を並べて配する。この際、各リングカバー１５…の１８０゜対向する位置には、内部配線リード１６ｐ，１６ｎを通すための切欠凹部１５ｉ，１５ｅを形成し、各切欠凹部１５ｉ…，１５ｅ…を介して三つのリングカバー１５…の内部を連通させる。図７の仮想線は内部配線リード１６ｐ，１６ｎを示す。各内部配線リード１６ｐ，１６ｎは、各接続端子１３ｐ…，１３ｎ…に順次接続することにより、三つのＬＥＤ２…を並列接続する。
【００２４】
そして、端に位置する接続端子１３ｐ，１３ｎからは、外部配線リード１７ｐ，１７ｎを含む一本の接続ケーブル１７をリングカバー１５の外部に導出するとともに、さらに、ベース体３に形成した貫通孔１８を通して上面３ｕ側に導出させる。この後、各リングカバー１５…の内部に、合成樹脂等のポッティング剤Ｅを充填する。この際、図６に示すように、ＬＥＤ２…はポッティング剤Ｅに埋まらないように外部に露出させる。これにより、リングカバー１５も強固に固定され、一つのＬＥＤ発光部４の実装が終了する。このＬＥＤ発光部４…は、図２に示すように、ベース体３の両端寄り位置と中央位置にそれぞれ実装し、三つの同一構成したＬＥＤ発光部４…が設けられる。また、接続ケーブル１７…により各ＬＥＤ発光部４…間を接続するとともに、一つの植物栽培用照射装置１から一本の接続ケーブル１７を導出することにより、他の植物栽培用照射装置１に、又は植物栽培用照射装置１のための所定の電源に接続する。
【００２５】
なお、ＬＥＤ発光部４は、以上の構成が基本的構成となるが、例示の場合には、さらに着脱可能な化粧カバー１９を装着している。化粧カバー１９は、三つのＬＥＤ実装部１１…の全体を覆う形状に形成し、各ＬＥＤ２…を外部に露出させる三つの孔部２０…を有するとともに、四隅付近には、装着時にベース体３の上面３ｕに係止する爪を有する四つの係止部２１…を一体に設ける。なお、２２は接続ケーブル１７を導出するための切欠凹部を示す。
【００２６】
吊下器５は、吊下体６と固定手段７からなる。吊下体６は、図４に示すように、ベース体３の任意の位置に取付可能に構成した第一取付部６ｄと支持フレームＦの任意の位置に取付可能に構成した第二取付部６ｕを所定長さの連結部６ｃを介して一体化させたものであり、この吊下体６は、プラスチック素材等により一体形成する。このように、吊下体６を一体形成すれば、基本的には単一部品の構成となるため、容易かつ低コストに実施できる利点がある。
【００２７】
この場合、第一取付部６ｄは、図５に示すように、ベース体３の幅方向における両端を把持して取付可能な対称形状による一対の把持部６ｄｐ，６ｄｑを有する。各把持部６ｄｐ，６ｄｑは、先端部を断面コの字形に形成するとともに、ベース体３の上面３ｕ側はベース体３の中央付近まで延出させる。このように、第一取付部６ｄを、ベース体３の幅方向における両端を一対の把持部６ｄｐ，６ｄｑにより把持して取付可能に構成すれば、比較的簡易な構成により低コストに実施できるとともに、ベース体３に対して容易かつ確実に取付けできる利点がある。また、把持部６ｄｐ，６ｄｑの上面３ｕ側の端部は、それぞれ上方へ起立延出させることにより、それぞれ連結片部６ｃｐ，６ｃｑを形成し、これら一対の連結片部６ｃｐ，６ｃｑにより連結部６ｃを構成する。例示の連結片部６ｃｐ，６ｃｑは、図５及び図６に示すように、下部に折曲部を形成することにより、接続ケーブル１７を通して保持するための挿通空間Ａを設けている。なお、把持部６ｄｐ，６ｄｑと連結片部６ｃｐ，６ｃｑ間には、補強用リブ３１を設ける。
【００２８】
また、連結部６ｃの上端には第二取付部６ｕを連続形成する。第二取付部６ｕは、支持フレームＦに対して取付けを行うため、支持フレームＦを考慮した形態に形成する。例示の支持フレームＦは、植物Ｐを載置する複数段の栽培棚Ｒを構成するフレーム部材Ｆｓ、即ち、断面円形の鉄筋Ｓである。このため、第二取付部６ｕは、フレーム部材Ｆｓの周面に装着可能な円筒状に形成する。この場合、第二取付部６ｕは、下部に軸方向のスリットを有し、このスリットに臨む一端が一方の連結片部６ｃｐの上端に連続し、スリットに臨む他端が他方の連結片部６ｃｑの上端に連続する。
【００２９】
固定手段７は、第一取付部６ｄをベース体３に固定し、かつ第二取付部６ｕを支持フレームＦに固定する機能を有する。この固定手段７には、一般的なボルトナット７ｗを用いることができる。このため、一対の連結片部６ｃｐ，６ｃｑには、ボルトナット７ｗが挿通するボルト挿通孔３２ｐ，３２ｑを設ける。以上の構成からなる吊下体６と固定手段７が組となって一つの吊下器５を構成する。例示の場合、二つの吊下器５…を使用する。
【００３０】
次に、本実施形態に係る植物栽培用照射装置１の使用方法及び機能について、図１〜図８を参照して説明する。
【００３１】
植物栽培用照射装置１は、栽培する植物Ｐの上方に配した支持フレームＦに取付けることにより当該植物Ｐに対してＬＥＤ２…を発光させて照射を行う機能を備える。図８は、植物栽培用照射装置１を用いて好適な植物栽培工場における栽培棚Ｒを示す。この栽培棚Ｒは、植物Ｐを載置するための複数段の棚部Ｒｓ…を備え、各棚部Ｒｓ…は複数の支柱Ｔ…により支持される。例示の棚部Ｒｓは、断面円形の鉄筋Ｓ…を格子状に組合わせて構成したものであり、植物栽培用照射装置１は、一本の鉄筋Ｓ（フレーム部材Ｆｓ）に取付けて使用する。また、例示の植物Ｐはキノコであり、図８は複数のキノコ栽培ビンＰｂ…を収容したコンテナＣを載置した状態を示す。
【００３２】
このように、植物Ｐを載置するための複数段の栽培棚Ｒを構成するフレーム部材Ｆｓを支持フレームＦに適用すれば、特に、フレーム部材Ｆｓ…の組合わせにより構成される様々な栽培棚Ｒに対して、的確かつ確実な取付けを行うことができるため、この種の栽培棚Ｒに取付ければ、植物栽培用照射装置１の有効性を確保する観点から最適なパフォーマンスを得ることができる。例えば、栽培棚Ｒに蛍光管を用いた照射装置が付設されており、この蛍光管を用いた照射装置を本実施形態に係る植物栽培用照射装置１に変更（交換）する場合、一つの棚部Ｒｓに一本の蛍光管が取付られていれば、蛍光管を取外した後、その空いた取付スペースに、本実施形態に係る植物栽培用照射装置１をそのまま取付けることが可能となる。
【００３３】
一方、植物栽培用照射装置１をフレーム部材Ｆｓに取付ける際には、まず、二つの吊下器５，５を用意する。そして、各吊下器５…における吊下体６…を、図４に示す仮想線のように開き、第二取付部６ｕ…をフレーム部材Ｆｓに順次装着する。次いで、第一取付部６ｄ…を構成する一対の把持部６ｄｐ…，６ｄｑ…によりベース体３における幅方向両側を把持する。この際、フレーム部材Ｆｓと植物栽培用照射装置１間の相対位置は固定となるため、吊下体６…の位置を、直交する他のフレーム部材Ｆｓ…或いはベース体３におけるＬＥＤ発光部４…のいずれにも干渉しない最適な位置を選定する。
【００３４】
そして、一対の連結片部６ｃｐ，６ｃｑに設けたボルト挿通孔３２ｐ，３２ｑに挿通させたボルトナット７ｗを締め付けることにより連結片部６ｃｐと６ｃｑ間を固定する。これにより、第二取付部６ｕはフレーム部材Ｆｓの周面に圧接して当該フレーム部材Ｆｓ上に固定されるとともに、第一取付部６ｄの把持部６ｄｐ，６ｄｑがベース体３を把持して当該ベース体３上に固定される。図８が各植物栽培用照射装置１…を栽培棚Ｒのフレーム部材Ｆｓに取付けた状態を示している。また、各植物栽培用照射装置１…に接続ケーブル１７…を介して給電すれば、各ＬＥＤ２…が発光し、下方の棚部Ｒｓ…上に配したキノコ栽培ビンＰｂ…（栽培する植物Ｐ）に照射することができる。
【００３５】
よって、このような本実施形態に係る植物栽培用照射装置１によれば、下面３ｄにＬＥＤ発光部４…を配した細長いベース体３の任意の位置に取付可能に構成した第一取付部６ｄと支持フレームＦの任意の位置に取付可能に構成した第二取付部６ｕを所定長さの連結部６ｃを介して一体化させた吊下体６，及び第一取付部６ｄをベース体３に固定し、かつ第二取付部６ｕを支持フレームＦに固定する固定手段７を有する吊下器５…を備えるため、各種形態により構成される既設の支持フレームＦに取付ける場合であっても、第一取付部６ｄ及び第二取付部６ｕの取付位置を任意かつ容易に変更し、的確かつ最適な取付けが可能になるなど、取付に対するフレキシビリティを高めることができるとともに、生育むらなどの生じない均質な植物Ｐの栽培を実現できる。
【００３６】
特に、本実施形態では、吊下器５の連結部６ｃを、把持部６ｄｐ，６ｄｑから延出した一対の連結片部６ｃｐ，６ｃｑにより形成し、かつこの連結片部６ｃｐ，６ｃｑに第二取付部６ｕを連続形成するとともに、一対の連結片部６ｃｐと６ｃｑ間を固定可能な固定手段７を用いたため、固定手段７による第一取付部６ｄと第二取付部６ｕに対する固定を同時に行うことができ、更なる構成の簡略化に寄与できるとともに、連結片部６ｃｐ及び６ｃｑを利用した様々な機能、例えば、前述した固定手段７の配設機能や接続ケーブル１７の保持機能を付加することができる。
【００３７】
次に、本発明の変更実施形態に係る植物栽培用照射装置１について、図９及び図１０を参照して説明する。
【００３８】
図９の変更実施形態は、支持フレームＦが異なる場合を示す。図９は、支持フレームＦとして、Ｌ形アングルＦｅを例示する。このため、吊下体６を構成する第二取付部６ｕを、Ｌ形アングルＦｅの垂直面（鉛直面）に対して、仮想線で示すネジ（又はボルト）４１によりネジ止めできるように、ネジ挿通孔４２を有する第二取付部６ｕｅとして構成した。  また、連結部６ｃを上下に二分割することにより、吊下体６を上下二つの分割体６ｘ，６ｙとして構成し、上側の分割体６ｘにおける分割連結部６ｃｐｘ及び６ｃｑｘに対して、下側の分割体６ｙにおける分割連結部６ｃｐｙ及び６ｃｑｙを、固定手段５ｓとなるボルトナット７ｗにより固定可能に構成した。この場合、分割体６ｙは、前述した一対の把持部６ｄｐ，６ｄｑと同じ形態で構成できるため、分割体６ｙを共有とし、異なる複数の分割体６ｘ…から選択した任意の分割体６ｘを組合わせて用いることができる。これにより、コスト面で有利になるとともに、組付時においては第一取付部６ｄと第二取付部６ｕ間の角度を設定（調整）できる。
【００３９】
さらに、上側の分割体６ｘにおける分割連結部６ｃｐｘ及び６ｃｑｘに設けた挿通孔３２ｐｅ及び３２ｑｅを上下に長い長孔により形成した。これにより、分割連結部６ｃｐｘ及び６ｃｑｘに対して、分割連結部６ｃｐｙ及び６ｃｑｙを伸縮できるため、第一取付部６ｄと第二取付部６ｕｅの間隔を設定（調整）することができる。したがって、連結部６ｃには、上述した固定手段７の配設機能や接続ケーブル１７の保持機能を付加することに加え、このような間隔及び角度の調整機能も付加することができる。その他、図９において、図１〜図８と同一部分には同一符号を付してその構成を明確にするとともに、その詳細な説明は省略する。
【００４０】
一方、図１０の変更実施形態は、ＬＥＤ発光部４をベース体３に対して着脱可能なユニット、即ち、発光部ユニット４ｅとして構成したものである。例示の発光部ユニット４ｅは、前述した化粧カバー１９をユニットケース１９ｅとして用いたものであり、ユニットケース１９ｅの開口部分は、伝熱性を有するアルミニウム素材等により形成した放熱プレート５１により閉塞するとともに、この放熱プレート５１の内面に、前述した三つのＬＥＤ実装部１１…を配設した。なお、例示のユニットケース１９ｅでは、ＬＥＤ２…を外部に露出させないため、ユニットケース１９ｅは透明素材又は半透明素材により形成するとともに、発光部ユニット４ｅの内部は密閉される。
【００４１】
これにより、発光部ユニット４ｅは、ベース体３の任意の位置に対して着脱可能となるため、任意数量の発光部ユニット４ｅ…をベース体３の任意の位置に取付けることができる。したがって、用途や目的に応じて発光部ユニット４ｅ…の取付数量や取付位置を設定し、設置環境に対する最適化を図ることができる。なお、発光部ユニット４ｅをベース体３に取付けた際には、放熱プレート５１がベース体３の下面３ｄに接触するため、ＬＥＤ２…の発熱は放熱プレート５１からベース体３に放熱される。その他、図１０において、図１〜図８と同一部分には同一符号を付してその構成を明確にするとともに、その詳細な説明は省略する。
【００４２】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。
【００４３】
例えば、支持フレームＦとして、鉄筋Ｓ…及びＬ形アングルＦｅを例示したが、その他、丸パイプ，角材，木材等の各種支持フレームＦを適用することができるとともに、この支持フレームＦには、棒材のみならず板材も含まれる。また、ベース体３の素材には一般に放熱性素材（伝熱性素材）と言われている各種素材を利用できるとともに、放熱フィンを付加したり放熱孔を空けるなど、ベース体３の形態は任意である。一方、吊下体６の素材もプラスチック素材をはじめ、金属素材等の各種素材で形成できる。なお、吊下体６における第一取付部６ｄの形態として、ベース体３の幅方向における両端を把持して取付可能に構成した場合を示したが、ベース体３の幅方向における中央を支持可能な各種形態により実施可能である。さらに、連結部６ｃとして各種変更例を示したが、基本的には第一取付部６ｄと第二取付部６ｕを一体化できればよいため、例えば、全部又は一部をチェーン等により連結する場合も連結部６ｃの形態に含まれる。
【産業上の利用可能性】
【００４４】
本発明に係る植物栽培用照射装置は、キノコを含む野菜や果物等の各種植物を栽培する植物栽培工場をはじめ各種形態の栽培場における植物の照射に利用できる。
【符号の説明】
【００４５】
１：植物栽培用照射装置，２…：ＬＥＤ，３：ベース体，３ｄ：ベース体の下面，４…：ＬＥＤ発光部，５…：吊下器，６：吊下体，６ｄ：第一取付部，６ｄｐ：把持部，６ｄｑ：把持部，６ｕ：第二取付部，６ｃ：連結部，６ｃｐ：連結片部，６ｃｑ：連結片部，７：固定手段，Ｐ：植物，Ｆ：支持フレーム，Ｆｓ：フレーム部材，Ｒ：棚
【図１】
2011101635.tif 000003
【図２】
2011101635.tif 000004
【図３】
2011101635.tif 000005
【図４】
2011101635.tif 000006
【図５】
2011101635.tif 000007
【図６】
2011101635.tif 000008
【図７】
2011101635.tif 000009
【図８】
2011101635.tif 000010
【図９】
2011101635.tif 000011
【図１０】
2011101635.tif 000012